(57)【要約】  【課題】  家庭の室内でのスプラウト栽培に水を必要とせず、従って容器からの水の流出や根腐れ現象、異臭等の問題を生じさせることのない室内栽培用植栽基盤材セットを提供することを課題とする。  【解決手段】  泥炭と、腐植土から抽出された腐植酸を含有する添加液とで室内栽培用植栽基盤材セットを構成したことを特徴とする。【特許請求の範囲】
【請求項１】
泥炭と、腐植土から抽出された腐植酸を含有する添加液とからなることを特徴とする室内栽培用植栽基盤材セット。
【請求項２】
栽培用容器に泥炭を収容し、収容された泥炭に、腐植土から抽出された腐植酸を含有する添加液を添加し、混練して植栽基盤材を形成し、その後、該植栽基盤材に植物の種子を散布して栽培することを特徴とする植栽基盤材セットを用いた室内栽培方法。
【発明の詳細な説明】
【技術分野】
【０００１】
本発明は、室内栽培用植栽基盤材セットとその植栽基盤材セットを用いた室内栽培方法、さらに詳しくは、たとえばスプラウトと称される新芽野菜を家庭の室内で容器に入れて栽培するような場合に使用される、室内栽培用の植栽基盤材セットと、その植栽基盤材セットを用いて室内で新芽野菜等を栽培する方法に関する。
【背景技術】
【０００２】
近年、スプラウトと称される、かいわれ、ブロッコリ等の新芽野菜を家庭の室内で栽培することが一種のブームとなっている。
【０００３】
このような、かいわれ、ブロッコリ等の新芽野菜の栽培は、田畑，農園等においては従前より行われており、栽培されていること自体、特に目新しいものではないが、「ビタミン、ミネラル、カロチンが豊富である」、「ガン予防に効果がある」、「ダイエット食品として人気がある」等が改めて見直されて近年のブームを起こしているものと認められる。
【０００４】
このようなブームを反映し、この種のスプラウト類等を家庭で栽培することを意図した下記特許文献１のような発明もなされている。
【特許文献１】特開2003−9671号公報
【０００５】
この発明は、吸水性材料からなる容器内に植物種子を入れ、上端の開口部に熱接着性シートを熱接着して閉塞した構成からなる植物栽培容器に関する発明である。
【０００６】
しかし、上記のようなかいわれ、ブロッコリ等の新芽野菜の栽培には、本来多量の水が必要とされる。従って、田畑，農園等で栽培する場合には問題は生じないが、家庭の室内での栽培には本来適さないものである。
【０００７】
すなわち、家庭の室内で栽培される場合には、一般に底部に孔が穿設された容器（ポット）内に用土、肥料、農薬等が種子とともに収容され、それらが収容された容器が室内に設置されて栽培される。従って、容器の底部の孔から用土、肥料、農薬等が灌水用の水とともに流出し、室内が不衛生になるという問題が生じていた。
【０００８】
一方、このような流出を防止するために、容器の底部に孔を穿設しないと、容器の外部に水が流出しないので、水が容器の底部に滞留し、いわゆる根腐れ現象が発生する。また水が滞留することで異臭が発生するという問題もある。
【０００９】
このようなことから、上述のようなブームを起こしているとはいえ、家庭室内でのスプラウト栽培が未だ普及していないのが現状である。そして、上記特許文献１のような発明は、あくまで容器に関するものであり、上記のように水を使用するが故の問題を解決しうるものでは決してないのである。
【発明の開示】
【発明が解決しようとする課題】
【００１０】
本発明は、以上のような問題点を解決するためになされたもので、家庭の室内でのスプラウト栽培に水を必要とせず、従って容器からの水の流出や根腐れ現象、異臭等の問題を生じさせることのない室内栽培用植栽基盤材セットを提供することを課題とする。
【課題を解決するための手段】
【００１１】
本発明は、このような課題を解決するために、室内栽培用植栽基盤材セットとその植栽基盤材セットを用いた室内栽培方法としてなされたもので、室内栽培用植栽基盤材セットとしての特徴は、泥炭と、腐植土から抽出された腐植酸を含有する添加液とで室内栽培用植栽基盤材セットを構成したことである。
【００１２】
本発明に使用する泥炭としては、たとえば中国産のものが用いられる。
これは、チベット高原の裾野3000mを越える高地で採掘されたもので、約１万年前のヨシやコケ等の湿原性植物が堆積したもので、有機ミネラルを多量に含む繊維状の特殊な腐植土である。
【００１３】
この泥炭は、保水性、通気性が高く、これを用いることで植栽基盤材として保水力、通気性を高めて植物の成長を促す作用がある。
【００１４】
また、本発明に使用する添加液は、たとえば上記泥炭のようなものに含まれる腐植土から抽出された腐植酸を含有するもので、その原液は腐植酸を含有する抽出エキスであるが、通常は、この抽出エキスを水で希釈して用いられる。
【００１５】
さらに、上記植栽基盤材セットを用いた室内栽培方法としての特徴は、栽培用容器に泥炭を収容し、収容された泥炭に、腐植土から抽出された腐植酸を含有する添加液を添加し、混練して植栽基盤材を形成し、その後、該植栽基盤材に植物の種子を散布して栽培することである。
【発明の効果】
【００１６】
以上のように、本発明においては、泥炭と、腐植土から抽出された腐植酸を含有する添加液とで室内栽培用植栽基盤材セットを構成したものであるため、この植栽基盤材セットを構成する泥炭を栽培用容器に収容し、添加液を添加し混練して植栽基盤材を形成し、その植栽基盤材に植物の種子を散布して栽培することで、水を用いずに、好適にスプラウト栽培、すなわち新芽野菜等の植物を栽培することができるという効果がある。
【００１７】
この結果、家庭の室内でのスプラウト栽培等を行っても、容器からの水の流出や根腐れ現象、異臭等の従来生じていた問題を生じさせることがないという効果がある。
【００１８】
また、泥炭は保水力が優れているので、腐植酸含有添加液を好適に吸収し、従って腐植酸含有添加液が液体であるにもかかわらず、これが根腐れや異臭の原因となることもないのである。
【００１９】
このように、本発明によって従来困難であった室内の野菜栽培が可能となるに至った。
【発明を実施するための最良の形態】
【００２０】
以下、本発明の実施形態について説明する。
一実施形態の植栽基盤材セットは、泥炭と、腐植土から抽出された腐植酸を含有する添加液とからなるものである。
【００２１】
本実施形態では、泥炭として中国産のもの、より詳しくはチベット高原の裾野3000mを越える高地で採掘されたものを用いた。この泥炭は、約１万年前のヨシやコケ等の湿原性植物が堆積したもので、有機ミネラルを多量に含む繊維状の腐植土である。
【００２２】
その成分、性質等は次のとおりである。
成分                            含有量（質量％）
有機質                          ８３．１％    
腐植酸                          ４６．０１％  
Ｔ−Ｎ（全窒素）                  １．９２％
Ｔ−Ｐ（全リン）                  ０．１５％  
Ｔ−Ｋ（全カリ）                  ０．０８％
【００２３】
性質
ｐＨ（Ｈ2Ｏ）                    ４．８
ｐＨ（ＫＣｌ）                    ４．４
ＥＣ（電動率）                    ０．３６（ms/cm)
ＣＥＣ（保肥力）                  66.5〜100(me/100g)
Ｃ／Ｎ（炭素率）                  22.6
【００２４】
また、腐植酸を含有するエキスとして、本実施形態では、上記中国産の泥炭に含まれる腐植土から腐植酸、フルボキシン酸、アミノ酸を抽出したものを用いた。  
【００２５】
次に、上記のような泥炭と、抽出エキスとからなる植栽基盤材セットを用いて家庭で室内栽培方法を行う場合について説明する。
【００２６】
先ず、上記抽出エキスの20mlを２リットルのペットボトルに入れ、水を満杯まで充填する。これにより上記抽出エキスの100 倍希釈液が調製される。
【００２７】
次に、予め準備された容器（ポット）内に上記泥炭を収容する。その後、前記ペットボトルに収容された抽出エキスの100 倍希釈液を、前記泥炭が収容された容器内に徐々に添加して混練する。この際、表面を平らに仕上げる。
【００２８】
次に、前記容器内の泥炭と抽出エキスの100 倍希釈液との混練物の上面に、新たに泥炭を添加する。この場合、添加した泥炭は、前記混練物の表面に指でまぶすようにする。このようにして泥炭と抽出エキスからなる植栽基盤材が形成されることとなる。
【００２９】
次に、新芽野菜の種子を、前記容器内の植栽基盤材の表面に散布する。散布された種子は、紙等で押し付ける。これによって発芽促進を有効に図れることとなる。
【００３０】
次に、泥炭を前記散布された種子の上にまぶした後、抽出エキスの100 倍希釈液を霧吹きで噴霧する。この場合、噴霧する量は種子の表面が濡れる程度とする。
【００３１】
次に、前記容器に新聞紙を載せ、その外側にダンボール箱等のケースを配置する。この状態で新芽野菜の種子が発芽するまで放置する。このように、新聞紙を容器の蓋として用い、さらにダンボール箱で覆われることにより、種子が発芽して成長するまで光が照射されないように遮蔽されることになる。
【００３２】
このように放置しておくと、新芽植物は２〜３日で発芽し、さらに４〜５日経過後には８〜10cmに成長する。さらに新芽の双葉が成長したときに、ダンボール箱等のケースを除去し、日当たりの良い場所に設置する。これにより植物体が成長する。成長した植物体は、６〜７日目経過後に収穫することができ、食することができる。
【００３３】
以上のように植物体を収穫した後に残存している容器内の植栽基盤材は、２回目或いは３回目の栽培に用いることができる。すなわち、２回目の栽培においては、先ず１回目の栽培で残存していた根を植栽基盤材から除去する。
【００３４】
植栽基盤材が乾燥していれば、その乾燥した植栽基盤材を容器内に残存させておき、前記抽出エキスの希釈液を徐々に添加し、混練する。これによって２回目の栽培に適した植栽基盤材が新たに作成されることとなる。その後の操作は、上記１回目の操作と同様に行う。
【００３５】
さらに、３回目以降の栽培においても同様に操作を行うが、３回目以降の栽培においては、植栽基盤材の栄養過多を防ぐため、上記100倍希釈していた抽出エキスをさらに２倍に希釈することが好ましい。
【００３６】
以上のように、本実施形態においては、泥炭と抽出エキスの希釈液とを混練して得られた植栽基盤材を用いるため、従来のように水を用いることなく新芽野菜等を好適に生育させることができ、その結果、根腐れや異臭等を生じさせることがなく、また容器の底部に孔を穿設して水抜きをする必要もないので、不衛生となることもないのである。
【００３７】
さらに、保水力のある泥炭と抽出エキスの希釈液とを混練して得られた植栽基盤材を用いるため、その抽出エキスの希釈液が泥炭に保水されることで容器内に貯留されることがなく、液体である抽出エキスの希釈液によっても根腐れ等を生じさせることがない。
【００３８】
尚、上記実施形態では、中国産であるチベット高原の裾野3000mを越える高地で採掘された泥炭を用いたが、泥炭の種類はこれに限定されるものではなく、日本産のものや、その他の国で産出された泥炭を用いることも可能である。
【００３９】
また、栽培する植物の種類も、該実施形態のようなかいわれやブロッコリー等の新芽野菜に限らず、他の種類の新芽野菜、たとえばそばもやし、レッドキャベツ等に使用することも可能であり、さらにはこれ以外の野菜や果物等のものであってもよい。さらに食品以外の植物に適用することも可能である。
【００４０】
さらに、抽出エキスの種類も上記実施形態の泥炭から抽出されたものに限らず、他の物質に含まれている腐植土から抽出された腐植酸を含有するエキスを用いることも可能である。
【００４１】
また、上記実施形態では、腐植酸以外にフルボキシン酸、アミノ酸を含有するエキスを用いたが、フルボキシン酸やアミノ酸を含有させることは本発明に必須の条件ではない。フルボキシン酸やアミノ酸以外の成分を腐植酸に含有させることも可能である。
【００４２】
また、抽出エキスの希釈液の添加量も該実施形態に限定されるものではない。ただし、泥炭の保水量を考慮して過剰の抽出エキスの希釈液が流入されないように留意する必要はある。
【００４３】
さらに、抽出エキスの希釈倍率も該実施形態に限定されるものではなく、該実施形態よりも濃く、或いは薄く調製することも可能である。ただし、濃すぎると植物が大きく生育しない可能性があるので、この点は考慮すべきである。
【００４４】
さらに、植物を栽培する手順も該実施形態に限定されるものではない。
【産業上の利用可能性】
【００４５】
本発明は、たとえばスプラウトと称される新芽野菜を家庭の室内で容器に入れて栽培するような場合に適用することができる。